(57)【要約】【課題】遊技機の取付及び傾斜角度調節をスムースに且つ正確に行う、構造が簡単で部品点数の少ない取付機構を提供する。【解決手段】この発明の取付機構は、遊技機を収容して支持する台枠１と、該台枠１を収容して床側に支持する島枠２とを備え、該島枠２側に取付けられる固定台７，２６と、該固定台７，２６に対して前後スライド可能に取付けられ台枠１側の上下いずれかの端部に連結される可動台８，２７と、上記固定台７，２６と可動台８，２７の間に前後方向のレール部７ａ，２６ａと該レール部７ａ，２６ａに嵌合して前後方向にスライドするレール溝８ａ，２７ａを組合わせたスライド機構と、上記固定台７，２６に対して可動台８，２７をスライド駆動する駆動部とからなる。  上記調節具は台枠１の上下いずれかの端部を位置決めする位置決め調節具４と、他方の端部の前後の位置を調節して台枠１の傾斜角度を調節する傾斜調節具６とからなる構成される。【選択図】図３
2018000226.tif 000002
【特許請求の範囲】
【請求項１】
遊技機を収容して支持する台枠（１）と、該台枠（１）を収容して床側に支持する島枠（２）とを備え、該島枠（２）側に取付けられる固定台（７，２６）と、該固定台（７，２６）に対して前後スライド可能に取付けられ台枠（１）側の上下いずれかの端部に連結される可動台（８，２７）と、上記固定台（７，２６）と可動台（８，２７）の間に前後方向のレール部（７ａ，２６ａ）と該レール部（７ａ，２６ａ）に嵌合して前後方向にスライドするレール溝（８ａ，２７ａ）を組合わせたスライド機構と、上記固定台（７，２６）に対して可動台（８，２７）をスライド駆動する駆動部とからなる調節具を設けた遊技機の取付機構。
【請求項２】
調節具が台枠（１）の上下いずれかの端部を位置決めする位置決め調節具（４）と、他方の端部の前後の位置を調節して台枠（１）の傾斜角度を調節する傾斜調節具（６）とからなる請求項１に記載の遊技機の取付機構。
【請求項３】
傾斜調節具（６）の駆動部が前端側を固定台（７）の前方側に回動自在に軸支されるスクリュー軸（９）を備え、該スクリュー軸（９）とねじ嵌合するスクリューナット（１１）を位置決めして固定的に支持するボス部（８ｂ）を可動台（８）の前方に一体的に成形して設け、スクリュー軸（９）を回転することにより固定台（７）に対し可動台（８）の位置を前後スライド調節する請求項１又は２に記載の遊技機の取付機構。
【請求項４】
傾斜調節具（６）の固定台（７）に固定台（７）の上部を覆うカバー（１３）を取付け、スクリュー軸（９）の後方側に従動ギヤー（１２ａ）を一体回転するように軸装するとともに、該従動ギヤー（１２ａ）と噛み合う駆動ギヤー（１２ｂ）を上記カバー（１３）側に回転自在に且つ上下軸方向に支持して設け、上記スクリュー軸（９）を回転駆動させる駆動軸（１６）と、該駆動軸（１６）を回転可能に支持する円筒形の単体の軸ケース（１７）とを上記カバー（１３）上に突出させて取付けた請求項３に記載の遊技機の取付機構。
【請求項５】
台枠（１）の後面側に突設した係止部（３ａ）を係脱可能に係止する連結部（１８）を開閉回動可能に取付ける軸支部（８ｄ，８ｅ）を含む取付けブラケット（８ｃ）を傾斜調節具（６）の可動台（８）の後方に一体的に形成してなる請求項２，３又は４に記載の遊技機の取付機構。
【請求項６】
島枠（２）に対し台枠（１）を位置決め係止するクランプピン（３６）及び該クランプピン（３６）を上下方向に付勢するスプリング（３４）を収容するピンケース（３８）と、該ピンケース（３８）を上下動させるカム付のレバー（３２）とを位置決め調節具（４）の可動台（２７）側に設け、上記ピンケース（３８）の昇降をガイドするガイド溝（２７ｆ）を備え、上記カム付のレバー（３２）を回動自在に支持するガイドブラケット（２７ｄ）を前記可動台（２７）と一体的に形成してなる請求項２，３，４又は５に記載の遊技機の取付機構。
【発明の詳細な説明】
【技術分野】
【０００１】
この発明は、遊技機を島枠に対して取付ける際に、取付け及び主として傾斜角の調整等がスムースで構造が簡単な遊技機の取付機構に関する。
【背景技術】
【０００２】
一般的にパチンコ機やスロット機等の遊技機は、これらを嵌合収容する長方形の台枠を島枠に取付けることにより設置されるが、この取付時には上下いずれか一方の端部を島枠に対して前後の位置決めをして固定し、他方の端部を前後調節することにより遊技機に対する傾斜角度が調節される（例えば特許文献１）。
【０００３】
上記先行技術の発明では、島枠に対して台枠（外枠）を固定する固定部は台枠の上部で上方から上下方向のボルトで台枠を押圧固定し、傾斜調節は島枠の下枠上に載せたベース板をスクリュージャッキ状のスライド移動機構で前後移動調節し、島枠下部のベース板上にはＬ字形のプレートを取付け、このプレートに対し後方よりボルト押圧してベース板上に台枠を位置決め固定し且つ傾斜角度を調節する機構である。
【先行技術文献】
【特許文献】
【０００４】
【特許文献１】特開２０１１−２１７７９９号公報
【発明の概要】
【発明が解決しようとする課題】
【０００５】
しかし上記台枠の位置決め・傾斜調節機構は、機構が簡単で低コストで調達できる利点はあるものの、島枠に対する台枠及び遊技機前面の傾斜や前後位置の微調整が難しい他、台枠の下枠を受け止めて支持するＬ字形の支持板が台枠の正面側に露出するため、これを覆う正面側の化粧板等の設置が複雑になる等の欠点がある。また多数の板金仕上げ部品を島枠上に取付けて台枠を支持するため、台枠の支持が不安定で使用時の振動音の発生も激しい等の問題がある。
【課題を解決するための手段】
【０００６】
上記課題を解決するための本発明の機構は第１に、遊技機を収容して支持する台枠１と、該台枠１を収容して床側に支持する島枠２とを備え、該島枠２側に取付けられる固定台７，２６と、該固定台７，２６に対して前後スライド可能に取付けられ台枠１側の上下いずれかの端部に連結される可動台８，２７と、上記固定台７，２６と可動台８，２７の間に前後方向のレール部７ａ，２６ａと該レール部７ａ，２６ａに嵌合して前後方向にスライドするレール溝８ａ，２７ａを組合わせたスライド機構と、上記固定台７，２６に対して可動台８，２７をスライド駆動する駆動部とからなる調節具を設けたことを特徴としている。
【０００７】
第２に、調節具が台枠１の上下いずれかの端部を位置決めする位置決め調節具４と、他方の端部の前後の位置を調節して台枠１の傾斜角度を調節する傾斜調節具６とからなることを特徴としている。
【０００８】
第３に、傾斜調節具６の駆動部が前端側を固定台７の前方側に回動自在に軸支されるスクリュー軸９を備え、該スクリュー軸９とねじ嵌合するスクリューナット１１を位置決めして固定的に支持するボス部８ｂを可動台８の前方に一体的に成形して設け、スクリュー軸９を回転することにより固定台７に対し可動台８の位置を前後スライド調節することを特徴としている。
【０００９】
第４に、傾斜調節具６の固定台７に固定台７の上部を覆うカバー１３を取付け、スクリュー軸９の後方側に従動ギヤー１２ａを一体回転するように軸装するとともに、該従動ギヤー１２ａと噛み合う駆動ギヤー１２ｂを上記カバー１３側に回転自在に且つ上下軸方向に支持して設け、上記スクリュー軸９を回転駆動させる駆動軸１６と、該駆動軸１６を回転可能に支持する円筒形の単体の軸ケース１７とを上記カバー１３上に突出させて取付けたことを特徴としている。
【００１０】
第５に、台枠１の後面側に突設した係止部３ａを係脱可能に係止する連結部１８を開閉回動可能に取付ける軸支部８ｄ，８ｅを含む取付けブラケット８ｃを傾斜調節具６の可動台（８）の後方に一体的に形成してなることを特徴としている。
【００１１】
第６に、島枠２に対し台枠１を位置決め係止するクランプピン３６及び該クランプピン３６を上下方向に付勢するスプリング３４を収容するピンケース３８と、該ピンケース３８を上下動させるカム付のレバー３２とを位置決め調節具４の可動台２７側に設け、上記ピンケース３８の昇降をガイドするガイド溝２７ｆを備え、上記カム付のレバー３２を回動自在に支持するガイドブラケット２７ｄを前記可動台２７と一体的に形成してなることを特徴としている。
【発明の効果】
【００１２】
上記のように構成される本発明の取付機構によれば、遊技機の傾斜調節を含む取付けに際し、固定台と可動台のスライド機構がレール部とレール溝の嵌合によって組付けられているため、取付構造とスライド駆動が共に安定しており、傾斜の微調整も正確且つ容易であり、遊技機使用時の振動音の発生も抑制される利点がある。
【００１３】
傾斜調整具のスクリュー軸をねじ嵌合させて支持するボス部を可動台の前方に一体成形したことにより、スクリューナット支持用のスリーブその他の支持部品を介挿するものに比して部品数も少なく構造も簡単である。
【００１４】
傾斜調節具の駆動軸及び駆動軸を支持する円筒形の単体の軸ケースを固定台上に突設することにより、軸ケースを上下方向に安定支持できるほか、軸ケースの構造も簡単で、この部分の部品数も最小限にできる。
【００１５】
その他台枠側を連結する傾斜調節具側の連結部を取付ける軸支部を含む取付ブラケットを可動台の後方に一体的に形成し、又は位置決め調節具のカム付のレバーを支持しピンケースを昇降ガイドするガイドブラケットを可動台と一体成形する点は、いずれも調節具の構造を簡単にして安定的な作動を確保し且つ部品数を少なくする利点がある。
【図面の簡単な説明】
【００１６】
【図１】遊技機を取付けるための島枠と台枠の分解斜視図である。
【図２】同じく島枠と台枠の分解側断面図である。
【図３】傾斜調節具の全体分解斜視図である。
【図４】傾斜調節具の組立状態と台枠側に取付けた係止部を示した斜視図である。
【図５】傾斜調節具の側断面図である。
【図６】位置決め調節具の全体分解斜視図である。
【図７】位置決め調節具の組立状態斜視図である。
【図８】位置決め調節具の使用状態を示す側断面図である。
【発明を実施するための形態】
【００１７】
図１〜図８は本発明の遊技機の取付構造を示す１実施例を示し、図１，図２は図示しないパチンコ機又はスマートボール機等の長方形の遊技機を内部に嵌合する台枠１と、該台枠１を挿入して傾斜調節しながら取付け、床上に設置される島枠２とを示している。台枠１，島枠２共に互いに嵌合し合う長方形に形成され、共に上下枠１ａ，１ｂ，（２ａ，２ｂ），左右枠１ｃ，１ｄ，（２ｃ，２ｄ）とによって構成されている。
【００１８】
このうち台枠１は図２に示すように下枠１ｂが側面視で肉厚のＬ字形断面になっており、上枠１ａは肉薄で前後幅も狭く形成され、その上面には図１，図２に示すように板金製の台枠プレート３がねじ止め等により左右方向に沿って取付けられ、台枠プレート３の両端には後端がアングル状に下向きに折り曲げ形成された係止部３ａが後向きに突設されている。
【００１９】
上記台枠１は図２に示すように島枠２内に嵌合支持されるが、少なくともその高さは島枠２の上下枠２ａ，２ｂ間の高さに対して僅かなクリアランスを保つ高さに形成され、上下いずれかを支点に反対側を前後揺動させて島枠２に対する台枠１の前後傾斜角度が調節できる寸法に形成されている。そしてこの例では島枠２の下枠２ｂは木造建築の土台状の太枠となっており、その内面（上面）後方には台枠取付時の前後の位置決めをしてクランプする位置決め調節具４が左右に振分けて取付けられている。
【００２０】
また島枠２の上枠２ａも正面に縦壁を有するＬ字形断面になっており、Ｌ字形断面の上面（島枠２の上面）には、上記台枠１側に設けた左右の係止部３ａのピッチに対応したピッチで左右一対の傾斜調節具６が着脱自在に取付けられており、各傾斜調節具６は島枠２の後方側へ突出するように取付けられ、その突出端の下側には前記台枠プレート３より突出した下向きの係止部３ａを係脱自在に連結する押え具１９及びこれをセットするクリップからなる連結部１８（詳しくは後述する）が取付けられている。
【００２１】
傾斜調節具６は図３〜図５に示すように島枠２の下枠２ｂ上面に前後方向に取付固定される前後に長い固定台７，上記固定台７上に前後スライド可能に組合わせ配置される前後に長い可動台８とを備えており、上記前後スライドするスライド機構は、可動台８の左右両側下部に横向きに突出した水平方向のレール部８ａと、該レール部８ａとスライド可能に嵌合し合う固定台７の下部の左右の内側に内向きに形成されたレール溝７ａとによって構成されている。
【００２２】
上記固定台７と可動台８の前端にはそれぞれ上向きのボス部７ｂ，８ｂが突設されるとともに、各ボス部７ｂ，８ｂには固定台７と可動台８の中心に沿って前後方向にスクリュー軸９が回転可能に軸支されている。そして固定台７側のボス部７ｂは半円形の軸受部７ｃが形成されてスクリュー軸９の前端が位置決めされて回転可能に支承され、可動台８側のボス部８ｂ内には樹脂製のナットからなるスクリューナット１１が、前後側から位置決め挿入されて接着固定されている。
【００２３】
そしてスクリュー軸９の所定範囲（可動台８のスライド範囲）には、スクリューナット１１と適合するねじ部９ａが形成されており、該ねじ部９ａの後端側には傘歯車からなるギヤー１２ａが一体回転するように軸装されている。９ｂは固定台７のボス部７ｂから前方に突出しているスクリュー軸９の回動操作部で、島枠２の上枠２ａに傾斜調整具６が取付けられた状態では、上枠２ａの正面側に穿設された操作孔２ｅからボックススパナその他の工具で回動操作される。
【００２４】
また固定台７は前半側のボルト孔７ｄより島枠２側にビス止めして取付けられるが、その上面にはボックス状のカバー１３が上部を覆うようにビス止め等によって取付けられ、さらにカバー１３の後端側内部には、前記ギヤー１２ａと噛み合う傘歯車からなるギヤー１２ｂが下向きに軸支されており、このギヤー１２ｂは、カバー１３に一体形成されたボス部１３ａに回転自在に嵌合されて軸支されている。なお、スクリュー軸９の後端は図５に示すようにカバー１３の後壁に回転可能に軸支されている。
【００２５】
そして上記ボス部１３ａより突出したギヤー１２ｂのギヤ軸１４には上下方向の駆動軸１６の下端が一体回転するように嵌合されており、上記駆動軸１６には下端にカバー１３への取付フランジ１７ａを一体的に形成して設けた単体の円筒形の軸ケース１７が外装され、軸ケース１７はその下端のフランジ１７ａをカバー１３にビス止めするとともに、上端側は駆動軸１６の上部を回転自在に嵌合して軸支している。その結果駆動軸１６は下端を軸１４に同心的に支持され、上端は軸ケース１７に安定的に支持されて、図１に示すように島枠２上に突出した状態で軸支されている。駆動軸１６は、遊技機の正面側からその上端にスパナ等の操作具により回動操作される。
【００２６】
上記スクリュー軸９，スクリューナット１１，ギヤー１２ａ，１２ｂ，駆動軸１６，軸ケース１７等は固定台７に対して可動台８を前後にスライド駆動するための駆動部を構成しており、スクリュー軸９を正逆回転駆動することにより、可動台８が前後にスライド駆動され、後述するように台枠１の傾斜角度が調節される。上記傾斜角度の調節操作は既述のように島枠２の操作孔２ｅを介してスクリュー軸９の回動操作部９ｂを操作することによって行われるほか、台枠１を設置する島全体の機構や島枠２の正面側を覆うカバー構造（図示しない）によっては、駆動軸１６の上端を回転操作することによっても前後スライド調節が可能である。
【００２７】
可動台８の後端側下方には、下向きにアングル状に屈曲するボックス状のブラケット８ｃが一体形成されており、ここには前述した台枠１より突出した台枠プレート３の係止部３ａを係止して連結する連結部１８が設けられる。即ち、ブラケット８ｃの下端の左右両側にはそれぞれ上下方向の軸受部８ｄ，８ｅがブラケット８ｃと一体的に形成されている。上記一方の軸受部８ｄには正面の内側に向って水平方向に回動する押え具１９が軸支され、他方の軸受部８ｅには平面視くの字状のクリップレバー２１が水平回動自在に軸支されている。そして該クリップレバー２１の前端にはＣ型に屈曲形成された係止リング２２が水平回動可能に取付けられている。
【００２８】
そして上記ブラケット８ｃの正面下端に台枠１側の係止部３ａを沿わせて停止し、その上から押え具１９を内側に閉回動させた後、係止リング２２の回動端を押え具１９の回動端に係合してクリップレバー２１を平面視で反時計方向に回動操作することにより、係止部３ａは連結部１８内に収容係止された状態で可動台８側に連結され、可動台８を前後スライドさせることにより、台枠１の上端が傾動して傾斜角の調節が行われる。
【００２９】
上記傾斜調節具６の主要構成部品である固定台７，可動台８，カバー１３，軸ケース１７等はこの実施例ではすべてダイキャスト成形によって一体的に製造されており、しかも可能な限りの付属部品も一体成形しているので、例えば特許文献１に示す台枠（外枠）の取付や傾斜角調節のための板金製の構成部品よりも多機能が付与されているにもかかわらず、構造が簡単で部品点数も少なく構成されている。
【００３０】
図６〜図８は位置決め調節具４の詳細構造と機能を表わす図であり、この調節具も島枠２の下枠２ｂ上に取付けられる固定台２６と、該固体台２６にスライド機構を介して前後スライド可能に組付けられる可動台２７を備えており、この例では固定台２６上の左右両側に形成されたレール溝２６ａと、可動台２７の両側に突設形成され、該レール溝２６ａに前後スライド可能に嵌合挿入されるレール部２７ａとによってスライド機構が構成されている。
【００３１】
また固定台２６と可動台２７の前後幅の中央部後端には、共に上向きに突出する壁状の突起部２６ｂ，２７ｂが突設され、固定台２６側の突起部２６ｂにはボルト挿通孔２６ｃが前後方向に挿通され、可動台２７側の突起部２７ｂにはねじ孔２７ｃが前後方向に設けられている。さらに上記ボルト挿通孔２６ｃには、回転操作用のつまみ２８付のボルト（スクリュー）２９が後方から挿入され、ボルト２９の先端側のねじ部２９ａは、可動台２７側のねじ孔２７ｃにねじ嵌合しており、つまみ２８を回転操作することにより、可動台２７が前後にスライド移動（調節）される。３１はボルト２９の位置決め用Ｃリングである。
【００３２】
上記ボルト（スクリュー）２９，ボス部２６ｂ，２７ｂ，ねじ孔２７ｃ，つまみ２８等は、固定台２６に対して可動台２７を前後スライド調節を駆動するための駆動部を構成している。
【００３３】
可動台２７の前端には正面側が開放されたコ字形断面のガイドブラケット２７ｄが上向きに突出するように（側面視でＬ字形に）一体成形されており、ガイドブラケット２７ｄの両側の前後幅中央には後述するクランプ操作用の一対のレバー３２を軸支する支持軸２７ｅが一体的に突設され、さらにその下方には上下方向のガイド溝２７ｆが下向きに開放されて形成されている。
【００３４】
前記クランプ操作用の左右のレバー３２は、基端部が側面視半月板状のプレートでその円弧の内側に前記支持軸２７ｅに嵌合して揺動可能に軸支される軸孔３２ａが設けられ、レバー３２の先端（揺動端）側の上面（又は前面）にはペダル状の操作部３２ｂが一体的に形成されている。さらに該操作部３２ｂの背面側に左右のレバー３２，３２を連結して一体揺動させるための左右方向の連結ピン３３を挿通するためのピン孔３２ｃがそれぞれ穿設されている。また半月板状のレバー３２にはレバー３２を右側面視で時計回り方向に揺動した時に、軸孔３２ａ（支持軸２７ｅ）との距離（半径）が順次長くなるように偏心した円弧状のカム溝３２ｄが形成されている。
【００３５】
さらに前記ガイドブラケット２７ｄのコ字形断面内には、内部にコイルスプリング３４とその下方で該スプリング３４に付勢されて下端が定位置まで突出しているクランクピン３６とを内挿し、上端にキャップ状のストッパー３７を固定的に取付けてなる単体の筒状体からなるピンケース３８が収容されて昇降移動可能に収容されている。そして上記ピンケース３８の下方の左右両側には、前記ガイドブラケット２７ｄのガイド溝２７ｆに昇降ガイドされるように収容されるガイドピン３８ａが一体的に突設されている。
【００３６】
上記機構において、固定台２７を島枠２の下枠２ｂ上の後端側位置に取付け、同じく下枠２ｂ上の前端側に嵌合された台枠１の下枠１ｂに穿設されたクランプ孔１ｆとクランクピン３６の位置を可動台２７をスライドさせながら合わせた後、レバー３２を下向きに下限位置まで揺動することにより、カム溝３２ｄによるガイドピン３８ａの下降スライドにより、クランクピン３６がクランプ孔１ｆに嵌合し、スプリング３４に付勢されて弾力的に台枠１の下部が島枠２内に位置決めクランプされる。
【００３７】
この位置決め調節具４においても、その主要部品である固定台２６，可動台２７，レバー３２，ピンケース３８等は、それぞれに付属する突起部２６ｂ，２７ｂ，ガイドブラケット２７ｄ，操作部３２ｂ等はいずれも主たる部材とダイキャスト成形等により一体成形することにより、部品点数や加工工数，組立工数を大幅に低減するとともに、それぞれが均一且つ正確な寸法で仕上がるので作動もスムースで操作も簡単であるという利点がある。
【符号の説明】
【００３８】
１      台枠
１ａ    上枠
１ｂ    下枠
２      島枠
２ａ    上枠
２ｂ    下枠
２ｅ    操作孔
３ａ    係止部
４      調節具（位置決め調節具）
６      調節具（傾斜調節具）
７      固定台
７ａ    レール部
８      可動台
８ａ    レール溝
８ｂ    ボス部
８ｃ    取付ブラケット
８ｄ，８ｅ  軸支部
９      スクリュー軸
１１    スクリューナット
１２ａ，１２ｂ  ギヤー
１３    カバー
１６    駆動軸
１７    軸ケース
１８    連結部
１９    押え具
２１    クリップレバー
２６    固定台
２６ａ  レール部
２７    可動台
２７ａ  レール溝
２７ｄ  ガイドブラケット
２７ｆ  ガイド溝
３２    レバー
３２ｄ  カム溝
３６    クランプピン
３８    ピンケース
【図１】
2018000226.tif 000003
【図２】
2018000226.tif 000004
【図３】
2018000226.tif 000005
【図４】
2018000226.tif 000006
【図５】
2018000226.tif 000007
【図６】
2018000226.tif 000008
【図７】
2018000226.tif 000009
【図８】
2018000226.tif 000010